(57)【要約】    【課題】  視覚障害者でも情報の識別が可能なよう点字を表示した打刻点字付きリストバンドおよびその作製装置を提供することを課題とする。【解決手段】  表面に、所望情報が印字された印字領域２３、および点字が打刻された点字領域２４を備えた表示部２５と、表示部２５の両端に延伸されたバンド部３０ａ、３０ｂと、表示部２５およびバンド部３０ａ、２５ｂを切り離し可能に区画形成する切離し部２９ｂと、が形成されたリストバンド部材２２と、リストバンド部材２２の切離し部２９ｂより切離して形成される打刻点字付きリストバンド。【選択図】  図６
2013152264.tif 000002
【特許請求の範囲】
【請求項１】
表面に、所望情報が印字された印字領域、および点字が打刻された点字領域を備えた表示部と、
前記表示部の両端に延伸されたバンド部と、
前記表示部およびバンド部を切り離し可能に区画形成する切離し部と、が形成されたリストバンド部材と、
前記リストバンド部材の切離し部より切離して形成される打刻点字付きリストバンド。
【請求項２】
表面に、所望情報を印字する印字領域、および点字を打刻する点字領域とを備えたリストバンド部材を長尺状に連続して備えた記録媒体を装着・供給する供給手段と、
前記供給手段より供給された記録媒体の前記印字領域に少なくとも患者名などの個人情報を印字する印字手段と、を備えた印字装置と、
前記点字領域に少なくとも患者ＩＤなどの特定情報を点字で打刻する点字打刻装置と、
を備えることを特徴とする打刻点字付きリストバンド作製装置。
【請求項３】
前記点字打刻装置は、打刻部と、打刻受け部と、進退動手段とを備え、
前記打刻部と前記打刻受け部の間に搬送された前記リストバンド部材に対し、前記進退動手段の進出を介して打刻部を打刻受け部に向けて進出させ、リストバンド部材に点字を施すことを特徴とする請求項２に記載の打刻点字付きリストバンドの作製装置。
【発明の詳細な説明】
【技術分野】
【０００１】
本発明は、特に、視覚障害者でも情報の識別が可能なよう、点字を表示した打刻点字付きリストバンドおよびその作製装置に関する。
【背景技術】
【０００２】
従来、病院やイベントなどの会場、遊園地などで人間の手首に取り付けるリストバンドが知られている。特に、病院において患者用に発行するリストバンドには、患者の氏名、年齢、血液型などの個人情報、患者ＩＤ、入院科名などの特定情報が印字され、情報（個人情報・特定情報）に基づいて患者識別を行う際に、色に注目して識別を行うことが考えられた(例えば、特許文献１参照)。
特許文献１のリストバンドによれば、リストバンド自体が着色されたいろいろな種類の色のリストバンドを用意し、特定情報に基づいて異なった色のリストバンドを発行し、一目で簡単に患者の血液型などの特定情報の識別を可能としたものである。
しかしながら、色による識別は晴眼者には有効なものの、視覚障害者には不向きであった。すなわち、入院患者が針灸、マッサージなどの理学療法を受けようとした場合、針灸師やマッサージ師は視覚障害者の場合があり、色の見分けはもとより、患者ＩＤ等の特定情報が目視できないため、療法を施す患者か否かの確認をリストバンドで行えないという問題がある。
また、イベント会場等で使うリストバンドも同様であり、例えば、案内する会場が色により異なるよう設定されているような場合、視覚障害者が参加すると識別が困難となるなどの問題がある。
このため、視覚障害者であっても特定情報の識別が可能なリストバンドの開発が望まれた。
【先行技術文献】
【特許文献】
【０００３】
【特許文献１】特開２００２−１２５９５６号
【発明の概要】
【発明が解決しようとする課題】
【０００４】
本発明は、上記の諸問題に着目して成されたものであり、視覚障害者でも情報の識別が可能なよう点字を表示した打刻点字付きリストバンドおよびその作製装置を提供することを課題とする。
【課題を解決するための手段】
【０００５】
本発明の第１の発明に係る打刻点字付きリストバンドは、表面に、所望情報が印字された印字領域、および点字が打刻された点字領域を備えた表示部と、前記表示部の両端に延伸されたバンド部と、前記表示部およびバンド部を切り離し可能に区画形成する切離し部と、が形成されたリストバンド部材と、前記リストバンド部材の切離し部より切離して形成されることを特徴とする。
また、第２の発明に係る打刻点字付きリストバンドの作製装置は、表面に、所望情報を印字する印字領域、および点字を打刻する点字領域とを備えたリストバンド部材を長尺状に連続して備えた記録媒体を装着・供給する供給手段と、前記供給手段より供給された記録媒体の前記印字領域に少なくとも患者名などの個人情報を印字する印字手段と、を備えた印字装置と、前記点字領域に少なくとも患者ＩＤなどの特定情報を点字で打刻する点字打刻装置と、を備えることを特徴とする。
また、点字打刻装置は、打刻部と、打刻受け部と、進退動手段とを備えるようにし、打刻部と打刻受け部の間に搬送されたリストバンド部材に対し、進退動手段の進出を介して打刻部を打刻受け部に向けて進出させ、リストバンド部材に点字を施すようにできる。
【発明の効果】
【０００６】
本発明の第１の発明に係る打刻点字付きリストバンドは、表面に、所望情報が印字された印字領域、および点字が打刻された点字領域を備えた表示部と、表示部の両端に延伸されたバンド部と、表示部およびバンド部を切り離し可能に区画形成する切離し部と、が形成されたリストバンド部材と、リストバンド部材の切離し部より切離して形成されるようにしたので、印字された文字と打刻された点字とが表示部に表示されるため、晴眼者だけでなく視覚異常者であっても所望情報の識別ができるという効果がある。
また、第２の発明に係る打刻点字付きリストバンドの作製装置は、表面に、所望情報を印字する印字領域、および点字を打刻する点字領域とを備えたリストバンド部材を長尺状に連続して備えた記録媒体を装着・供給する供給手段と、供給手段より供給された記録媒体の印字領域に少なくとも患者名などの個人情報を印字する印字手段と、を備えた印字装置と、点字領域に少なくとも患者ＩＤなどの特定情報を点字で打刻する点字打刻装置と、を備えるようにしたので、印字手段にて晴眼者が識別可能な所望情報が印字され、かつ、点字打刻装置にて視覚障害者が識別可能な所望情報が点字で打刻されるため、晴眼者だけでなく視覚障害者であっても所望情報の識別ができる打刻点字付きリストバンドが作製できるという効果がある。
さらに、点字打刻装置を、打刻部と、打刻受け部と、進退動手段とを備えるようにし、打刻部と打刻受け部の間に搬送されたリストバンド部材に対し、進退動手段の進出を介して打刻部を打刻受け部に向けて進出させ、リストバンド部材に点字を施すようにすれば、簡単な構成で打刻部と打刻受け部の間に搬送されたリストバンド部材に対し、点字が施せる。
【図面の簡単な説明】
【０００７】
【図１】本発明に係る打刻点字付きリストバンドの作製装置の一実施の形態の構成例を示す概略説明図である。
【図２】同、点字打刻装置の概略側面説明図である。
【図３】同、図２中、矢示ＩＩＩ方向より見た点字打刻装置の平面説明図である。
【図４】同、作製装置の電気的な構成例を示すブロック図である。
【図５】同、作製装置に装着する記録媒体の概略説明図である。
【図６】同、作製装置で作製された点字付きリストバンドの概略説明図である。
【発明を実施するための最良の形態】
【０００８】
主に、図１に示すように、打刻点字付きリストバンドの作製装置１は、主に、印字装置２と、点字打刻装置３とを備える。
印字装置２は、後述する記録媒体２１を装着・供給する供給手段としての供給軸４と、位置検出手段としての透過センサ５と、印字手段としての印字部６と、各部を制御する制御手段としての制御部７とを備える。
【０００９】
ここで、主に、図５に基づき、記録媒体２１につき説明する。
記録媒体２１は、リストバンド部材２２が長尺状に連続して形成されている「リストバンド連続体」であり、ロール状に巻き回された状態で前記供給軸４に装填される。リストバンド部材２２には、印字が施される印字領域２３、および点字が打刻される点字領域２４が設けられた表示部２５が形成されると共に、少なくとも印字領域２３の表面に感熱発色層が形成されている。また、表示部２５を挟んで、表示部２５よりも同図における右側に延伸されたベルト部３０ａに２個の固定孔２６が、また、表示部２５よりも左側に延伸されたベルト部３０ｂに固定孔２６と同一形状の調整孔２７（図示の例では、７個）が、幅方向（同図における上下方向）の中央、すなわちセンタライン上にそれぞれ形成されている。
なお、リストバンド部材２２間は、切離し部２９ａにより形成されており、特定情報が印字され、かつ、点字が打刻されて作製されたリストバンド部材２２が切離し部としてのミシン目２９ａに沿って切り離せるようになっている。
さらに、表示部２５、並びに固定孔２６および調整孔２７が形成されたバンド部３０ａ、３０ｂの周りにも切離し部２９ｂとしての「ミシン目」あるいは「ハーフカット」が形成されており、ミシン目あるいはハーフカットで形成された切離し部２９ｂに沿って切り離すと、表示部２５およびバンド部２９ａ、２９ｂが切り離されてリストバンド２０（図６参照）が得られるようになっており、図示省略の「留め具」によって、リストバンド２０の固定孔２６のいずれかと調整孔２７のいずれかを固定することで、巻き径を調整して腕に装着できるようになっている。また、記録媒体２１において、リストバンド部材２２間には、印字領域２３および点字領域２４等の位置を把握するための基準となる位置検出孔２８が形成されており、位置検出孔２８間が１つ（１葉）のリストバンド部材２２となっている。
【００１０】
図１に戻って、透過センサ５は、所定の光を出射する発光部５ａと、その光を受光する受光部５ｂとから構成され、発光部５ａおよび受光部５ｂは、記録媒体２１の前記位置検出孔２８を検出するよう、供給軸４と印字部６との間に配置されている。
印字部６は、サーマルヘッド８およびプラテンローラ（以下、適宜、単に「プラテン」と称す）９を備えており、プラテン９は、ステッピングモータ（以下、適宜、単に「モータ」と称す）１０との間にベルト１１を介して接続されている。
制御部７は、前記各部と接続されており、各部の動作が制御できるようになっている。
なお、供給軸４に装着した記録媒体（リストバンド連続体）２１は印字部６側へ引き出し、透過センサ５を経てサーマルヘッド８およびプラテン９の間に挟持し、発行口１２側に引出す。そして、サーマルヘッド８により押圧してモータ１０を回転させると、ベルト１１を介してモータ１０の回転がプラテン９に伝わり、サーマルヘッド８との間に挟持された記録媒体２１は、発行口１２側へ搬送されつつサーマルヘッド８により印字領域２３に所望の情報が印字されるようになっている。
【００１１】
次に、主に、図２および図３に基づき、点字打刻装置３につき説明する。
点字打刻装置３は、印字装置２の発行口１２の下流に近接して設けられており、主に、打刻部１３と、打刻受け部１４と、進退動手段１５とから構成されている。
打刻部１３は、前記リストバンド部材２２の点字領域２４に点字用の凸部（後述する）を打刻する打刻凸部（ピン部）１６を備えており、この打刻凸部１６の頭部は、図示省略の打刻した点字用の凸部の形状がドーム型となるように丸みを帯びて形成されている。
打刻受け部１４には、前記打刻凸部１６と対向する面に、打刻凸部１６の突き上げ（打刻）を受ける打刻受け凹部１７が形成されており、この打刻受け凹部１７は、前記打刻凸部１６頭部のドーム型形状に合わせた凹型とされている。
なお、本実施の形態おいて、打刻部１３および打刻受け部１４は、主に、図３に示すように、縦（Ｙ方向）３個と横（Ｘ方向）２個の、計６個の点で１マスが構成された６点点字を例として説明する。
進退動手段としての進退動部１５は、回転自在なカム１８と、進退動バー１９とを備え、進退動バー１９は、前記打刻凸部１６とカム１８との間に介在し、前記打刻受け凹部１７に対して打刻凸部１６を進退動自在とするようになっている。すなわち、点字文字を形成する点字用凸部（後述する）を打刻するに際し、所望の打刻凸部１６のカム１８を選択的に駆動・回転させると、進退動バー１９の尾部（図２における下端部）がカム１８に押されて進出し進退動バー１９の頭部（図２における上端部）に取り付けられた前記打刻凸部１６を突き上げ、打刻受け凹部１７に押し付けるようになっており、打刻部１３および打刻受け部１４の間に記録媒体２１（図２において、想像線にて示してある）が搬送されていると所望の点字が打刻されるようになっている（図２（ａ））。
なお、回転動作により進退動バー１９を介して打刻凸部１６を進出させたカム１８は回転を続け、元の位置に戻るとともに、カム１８と進退動バー１９の尾部との係合が解除され、進退動バー１９の頭部に取り付けられた打刻凸部１６は元の位置（図２（ｂ））に復帰するようになっている。
【００１２】
次に、主に、図４に基づき、制御部７につき説明する。
制御部７は、主に、各部を制御するＣＰＵ（ｃｅｎｔｒａｌ  ｐｒｏｃｅｓｓｉｎｇ  ｕｎｉｔ）３１と、ＣＰＵ３１の動作を制御する制御プログラムや各種データを記憶するＲＯＭ（ｒｅａｄ  ｏｎｌｙ  ｍｅｍｏｒｙ）３２と、一時的にデータなどを記憶するＲＡＭ（ｒａｎｄｏｍ  ａｃｃｅｓｓ  ｍｅｍｏｒｙ）３３と、ＣＰＵ３１から供給される印字すべき文字、図形などの印字データに対応する信号を生成し、この制御信号を前記サーマルヘッド８に供給して印字動作を行わせるサーマルヘッド制御部３４と、ＣＰＵ３１の制御下、前記透過センサ５の信号を制御するセンサ制御部３５と、前記モータ１０にパルス信号を供給し、モータ１０を回転させるモータ制御部３６と、前記点字打刻装置３を制御する点字打刻制御部３７と、外部インタフェース（外部Ｉ／Ｆ）３８とを備えており、各部はバス３９によって接続され、ＣＰＵ３１の制御下、データやコマンドの送受信を行うことができるようになっている。
また、前記外部インタフェース３８を介してパーソナルコンピュータ（ＰＣ）４０等の各種機器と印字装置２は接続されており、ＰＣ４０と印字装置２との間で各種データやコマンドの送受信を行うことができるようになっている。
【００１３】
なお、前記制御部７では、主に、以下のような制御が図れるようになっている。
１）ＰＣ４０より外部インタフェース３８を介して個人情報等のデータを受信し、かつ、印字装置２より受信終了等の信号を送信する。また、印字コマンド等のコマンドの送受信を行う。
２）個人情報・特定情報等のデータに基づき、印字データを生成する。
３）個人情報・特定情報等のデータに基づき、点字データを生成する。
４）モータ１０を制御して印字位置に記録媒体２１を搬送するとともに、印字部６を制御し、サーマルヘッド８を介してリストバンド部材２２の印字領域２３に所望の印字を行う。
５）印字が済んだ記録媒体２１を点字打刻装置３に搬送し、リストバンド部材２２の点字領域２４に所望の点字を行う。
【００１４】
次に、主に、図１ないし図６に基づき、打刻点字付きリストバンド２０の作製方法につき説明する。
供給軸４に記録媒体（リストバンド連続体）２１を装着し、印字部６側へ引き出し、透過センサ５を経てサーマルヘッド８およびプラテン９の間に挟持し、発行口１２を経て点字打刻装置３側に引出す。
図示省略の電源を投入すると、記録媒体２１を搬送しつつ位置検出孔２８が透過センサ５により検出され、所定の位置に位置決めされる。
ＰＣ４０より所望の個人情報や患者ＩＤなどの特定情報を入力し発行を指示すると、外部インタフェース３９を介して情報（個人情報、特定情報）が印字装置２へ送られる。
印字装置２では、制御部７のＣＰＵ３１の制御下、印字データおよび点字データが生成される。
モータ１０が回転し、ベルト１１を介してモータ１０の回転がプラテン９に伝わり、プラテン９とサーマルヘッド８の間に挟持された記録媒体（リストバンド連続体）２１を搬送してリストバンド部材２２の印字領域２３をサーマルヘッド８に位置決めするとともに、サーマルヘッド制御部３４を介してサーマルヘッド８に印字データを送り、搬送しながら印字領域２３に所望の情報を印字する。
記録媒体２１の搬送を続けて打刻部１３と打刻受け部１４の間に点字領域２４を位置決めし（図２（ｂ））、点字領域２４に打刻する（図２（ａ））。すなわち、所望の打刻凸部１６のカム１８を選択的に駆動・回転させ、進退動バー１９を介して打刻凸部１６を進出させて打刻受け凹部１７に押し付けることにより点字を打刻する。
所望の情報が印字装置２で印字され、かつ、所望の情報が点字打刻装置３にて点字で打刻された記録媒体２１は、ミシン目２９ａに沿って１つ（１葉）のリストバンド部材２２として切り離すとともに、表示部２５およびバンド部分の周りのミシン目またはハーフカット２９ｂに沿って切離し打刻点字付きリストバンド２０を得るようになっている。
【００１５】
図６は、個人情報・特定情報が印字され、かつ、点字が打刻された打刻点字付きリストバンド２０を示す。
印字領域２３には、印字部６にて科名「外科」、病棟番号「東０２」、患者名「佐藤太郎」、患者のＩＤ番号「１２３４５」が印字され、かつ、点字領域２４には、点字打刻装置３にて「数符」である旨を示す点字用の凸部Ｔ１、および「数符」に続いて患者のＩＤ番号を示す「１２３４５」が刻印された点字用の凸部Ｔ２が形成されている。
なお、同図において、点字領域２４を拡大して図示してある。
【００１６】
上述したように、記録媒体（リストバンド連続体）２１は、位置検出孔２８間に形成されたリストバンド部材２２を長尺状に連接して成り、記録媒体２１の表面に、感熱発色層（図示省略）が形成された印字領域２３と、点字が打刻される点字領域２４とを備えた表示部２５が形成され、さらに、この表示部２５から両端に延伸されたバンド部２９ａ、２９ｂとを備えており、かつ、前記リストバンド部材２２、２２間は、切離し部２９ａとしての「ミシン目」により切り離して１つ（１葉）のリストバンド部材２２とすることができ、さらに、表示部２５およびバンド部２９ａ、２９ｂの周りには、切離し部２９ｂとしての「ミシン目」または「ハーフカット」が形成されており、切離し部２９ｂに沿って切り離すとリストバンド２０が取り出せるようになっている。
前記記録媒体２１を装着・供給する供給手段（供給軸）４と、前記印字領域２３に印字を施す印字手段（印字部）６とを備えた印字装置２と、前記点字領域２４に点字を打刻する点字打刻装置３とを備えた作製装置１により、印字手段６を介して印字領域２３に患者名などの個人情報、および科名、病棟番号、患者のＩＤなどの特定情報を印字するとともに、点字打刻装置３を介して点字領域２４に患者のＩＤなどの特定情報を印字した上で切離し部（ミシン目）２９ａにて切り離し、１つ（１葉）のリストバンド部材２２とし、かつ、切離し部２９ｂに沿って表示部２５およびバンド部２９ａ、２９ｂをリストバンド部材２２より切り離して打刻点字付きリストバンド２０を取り出すようにしたので、印字領域２３に所望情報が印字されるとともに、点字領域２４に点字が打刻された表示部２５が形成された打刻印字付きリストバンド２０が作製されるため、晴眼者だけでなく、視覚障害者であっても特定情報・個人情報の識別が可能なリストバンドが得られるものである。
【００１７】
なお、上記実施の形態の構成及び動作は例であって、本発明の趣旨を逸脱しない範囲で適宜変更することができることは言うまでもない。
【００１８】
例えば、説明の都合上、進退動手段１５はカム１８と進退動バー１９により構成され、カム１８を回転させることにより進退動バー１９を介して打刻凸部１６を進退動させる例で説明したが、これに限定されないことは勿論であり、ソレノイドを用いて進退動させるようにしてもよい。
【００１９】
また、位置検出手段として透過センサ５を用い、記録媒体（リストバンド連続体）２１の位置検出孔２８を検出して位置決め行う例で説明したが、記録媒体２１に予め矩形状の「検出マーク（識別マーク）」を印刷しておき、反射センサにより検出マークを検出して位置決めするようにしても構わない。
【００２０】
さらに、個人情報や特定情報は、ＰＣ４０より外部インタフェース３９を介して印字装置２に送信する例で説明したが、これに限定されないことは勿論であり、印字装置２にキーボードなどの入力手段を接続して直接手入力するようにしてもよい。
【符号の説明】
【００２１】
Ｘ    横方向
Ｙ    縦方向
Ｔ１、Ｔ２  点字用の凸部
１    リストバンドの作製装置（作製装置）
２    印字装置
３    点字打刻装置
４    供給手段（供給軸）
５    位置検出手段（透過センサ）
５ａ  発光部
５ｂ  受光部
６    印字手段（印字部）
７    制御手段（制御部）
８    サーマルヘッド
９    プラテンローラ（プラテン）
１０  ステッピングモータ（モータ）
１１  ベルト
１２  発行口
１３  打刻部
１４  打刻受け部
１５  進退動手段（進退動部）
１６  打刻凸部（ピン部）
１７  打刻受け凹部
１８  カム
１９  進退動バー
２０  打刻点字付きリストバンド
２１  記録媒体（リストバンド連続体）
２２  リストバンド部材
２３  印字領域
２４  点字領域
２５  表示部
２６  固定孔
２７  調整孔
２８  位置検出孔
２９ａ、２９ｂ  切離し部（ミシン目、ハーフカット）
３０ａ、３０ｂ  バンド部
３１  ＣＰＵ
３２  ＲＯＭ
３３  ＲＡＭ
３４  サーマルヘッド制御部
３５  センサ制御部
３６  モータ制御部
３７  点字打刻制御部
３８  外部インタフェース
３９  バス
４０  外部機器（ＰＣ）
【図１】
2013152264.tif 000003
【図２】
2013152264.tif 000004
【図３】
2013152264.tif 000005
【図４】
2013152264.tif 000006
【図５】
2013152264.tif 000007
【図６】
2013152264.tif 000008